(57)【要約】【課題】この発明は、ロックペダルと交差して作動するロック解放ペダルの間に指や物などが入り込んでも強く挟まることが無いようにした安全性の高いフロアーロックに関する。【解決手段】フロアーロックは、プレート状の支承部を上端に有し上向きに付勢された伸縮可能なスタンド部と、該スタンド部に第１ピンで枢着されると共にスタンド部を超えて前後に延び、後端側にスタンド部と衝合可能なロックピンが取付られ、先端側にステップ部が取り付けられたロックペダルと、該ロックペダルと並んで外側に配置され、後端側が前記支承部の裏面に第２ピンによって枢着されたロック解放ペダルと、前記第２ピンとロックピンの間に掛け渡されて枢着されたリンク片と、前記ロックピンとロック解放ペダルでロックピンの上方位置との間に掛け渡されて、ロック解放ペダルをロックピンに接近する方向に付勢する付勢手段とからなることを特徴とする。【選択図】  図１
2006240504.tif 000002
【特許請求の範囲】
【請求項１】
プレート状の支承部を上端に有し上向きに付勢された伸縮可能なスタンド部と、
該スタンド部に第１ピンで枢着されると共にスタンド部を超えて前後に延び、後端側にスタンド部と衝合可能なロックピンが取付られ、先端側にステップ部が取り付けられたロックペダルと、
該ロックペダルと並んで外側に配置され、後端側が前記支承部の裏面に第２ピンによって枢着されたロック解放ペダルと、
前記第２ピンとロックピンの間に掛け渡されて枢着されたリンク片と、
前記ロック解放ペダルで上記リンク片と接触可能な位置に突設された作動部と、
前記ロックピンとロック解放ペダルとの間に掛け渡されて、ロック解放ペダルをロックピンに接近する方向に付勢する付勢手段とからなることを特徴とするフロアーロック。
【請求項２】
作動部に付勢手段の一端が掛け止められ、他端がロックピンに掛け止められてなることを特徴とする請求項１に記載のフロアーロック。
【請求項３】
スタンド部が、ベース部と、該ベース部上に立設する支脚部と、該支脚部上に支持された内筒部と、該内筒部に外嵌し上下に摺動自在な外筒部とからなって、該外筒部の上にプレート状の支承部を固設しており、
ロックペダルが、スタンド部を挟んで左右一対に延びるレバー本体と、一対のレバー本体の後端間に掛け渡されて取り付けられるロックピンと、一対のレバー本体の前方間に掛け渡されて取り付けられるステップ部４２とからなっており、
前記内筒部を貫通する第１ピンに、前記レバー本体の中途位置を枢着してなることを特徴とする請求項1に記載のフロアーロック。
【請求項４】
リンク片が、左右一対の側板と、該側板間の下方に一連に掛け渡される下方連設片とからなる断面略コ字状に形成されており、左右の側板の上部が第２ピンに枢着され、下部がロックピンに枢着されており、
前記第２ピンの枢着個所は、第２ピンに対するロック解除ペダルの枢着個所より内側に配置されていることを特徴とする請求項１、２または３のいずれかに記載のフロアーロック。
【発明の詳細な説明】
【技術分野】
【０００１】
この発明は、キャスタ等の足回りを装備した運搬台車などを、所望の位置で固定するために使用するフロアーロックの改良に関する。
【背景技術】
【０００２】
従来、フロアーロックは、例えば実公昭５３−５２７６７号に示すように、筒状のスタンドと、該スタンドに対し同軸上に昇降可能とした押上体と、前記スタンドと押上体との間に介設されて押上体を上向きに付勢する圧縮バネと、前記スタンドに対して横軸状に設けられ軸端を外部に突出させた軸と、一端に足踏部材を有し他端に前記軸と平行な第１ピンを備えると共に前記足踏部材と第１ピンの間に形成されたくの字状のアームからなって、前記軸回りに揺動自在に連結され
たロックペダルと、前記押上体の上端に設けたテーブルの底部に軸受片を介して第１ピンと平行に設けた第２ピンと、前記第１ピンおよび第２ピンに嵌合するようにロックペダルと平行に形成されて、前記ロックペダルと並列に配置されたＬ状のロック解放ペダルとからなり、前記ロックペダルの踏込み動作に従ってリンク片を介して押上体とスタンドとが伸張し、この状態から第１ピンが第２ピンと軸とを結ぶ直線上を通過し且つ押上体側にロックペダルの第１ピンが当接されてロック状態となるように構成されており、ロック時にはロック解放ペダルの足踏部材が上となり、ロック解放時にはロックペダルの足踏部材が上になり、使用者が操作しやすいようになっている。
この際に、ロック解放ペダルは、第１ピンと第２ピンの２個所によって枢着されており、作動時には第２ピンを支点として正方向および逆方向に回転するので第１ピンが連動して変位し、これに伴いロック解放ペダルも同時に変位する。
ここで、ロックペダルとロック解放ペダルとは並列に並んでいるので、作動時にはロックペダルとロック解放ペダルとはそれぞれ回転方向が逆になって交差する。
特に、ロック解放時には、圧縮されたバネの反発力で急激に前記ペダル同士が交差するのでものを挟む虞れがある。
前記考案では、ロック解放ペダルに、該解放ペダルの踏込方向の回動を許すように円弧状の長孔を形成し、ロック解放ペダルの位置をほぼ同じ位置に保持するようにしているがロック解放ペダルの位置がほぼ一定となるだけで、ロック解放時にはロックペダルとロック解放ペダルとが一部で重なり合うので、同様の問題が残る。
【０００３】
【特許文献１】実公昭５３−５２７６７号  第１図参照
【発明の開示】
【発明が解決しようとする課題】
【０００４】
この発明は上記事情に鑑みて創案されたものであって、その主たる課題は、ロック解放ペダルをリンク片と直接連動しないようにして、ロック解放時にものを強く挟み込むことがないようにしたフロアーロックを提供することにある。
【課題を解決するための手段】
【０００５】
この発明は、上記課題を解決するために、請求項１のフロアーロックでは、
プレート状の支承部を上端に有し上向きに付勢された伸縮可能なスタンド部と、
該スタンド部に第１ピンで枢着されると共にスタンド部を超えて前後に延び、後端側にスタンド部と衝合可能なロックピンが取付られ、先端側にステップ部が取り付けられたロックペダルと、
該ロックペダルと並んで外側に配置され、後端側が前記支承部の裏面に第２ピンによって枢着されたロック解放ペダルと、
前記第２ピンとロックピンの間に掛け渡されて枢着されたリンク片と、
前記ロックピンとロック解放ペダルでロックピンの上方位置との間に掛け渡されて、ロック解放ペダルをロックピンに接近する方向に付勢する付勢手段とからなることを特徴とする。
また、請求項２の発明では、
作動部に付勢手段の一端が掛け止められ、他端がロックピンに掛け止められてなることを特徴とする。
請求項３の発明では、
前記スタンド部が、ベース部と、該ベース部上に立設する支脚部と、該支脚部上に支持された内筒部と、該内筒部に外嵌し上下に摺動自在な外筒部とからなって、該外筒部の上にプレート状の支承部を固設しており、
前記ロックペダルが、スタンド部を挟んで左右一対に延びるレバー本体と、一対のレバー本体の後端間に掛け渡されて取り付けられるロックピンと、一対のレバー本体の前方間に掛け渡されて取り付けられるステップ部４２とからなっており、
前記内筒部を貫通する第１ピンに、前記レバー本体の中途位置を枢着してなることを特徴とする。
更に、請求項４の発明では、
前記リンク片が、左右一対の側板と、該側板間の下方に一連に掛け渡される下方連設片とからなる断面略コ字状に形成されており、左右の側板の上部が第２ピンに枢着され、下部がロックピンに枢着されており、
前記第２ピンの枢着個所は、第２ピンに対するロック解除ペダルの枢着個所より内側に配置されていることを特徴とする。
【発明の効果】
【０００６】
この発明は、ロック解放ペダルを第２ピンに枢着させるだけで、ロックピンにはコイルスプリングなどの付勢手段を介して連結する構成としたので、ロック解放ペダルを操作した際に、該ロック解放ペダルの下に指や物などが入り込んでも、跳ね上がってくるロックペダルとの間でロック解放ペダルが交差することなく、逆に前記付勢力に抗して上方に変位するので、指や物を挟み込む虞れが無く、安全性が高い。
また、長孔を用いる必要がないので、製品のガタツキが無く安定性に優れる。
【発明を実施するための最良の形態】
【０００７】
この発明では、ロック解放レバーを第２ピンでスタンド部に枢着し、ロックピンとはコイルスプリングなどの付勢手段を介して連結することで、製品の安全性の向上を実現した。
以下に、この発明のフロアーロックの好適実施例について図面を参照しながら説明する。
【実施例１】
【０００８】
図１および図２に示すフロアーロック１は、プレート状の支承部２を上端に有し上向きに付勢された伸縮可能なスタンド部３と、該スタンド部３に枢着されたロックペダル４と、該ロックペダル４の外側に並んで配置され、後端側が支承部２の裏面に枢着されたロック解放ペダル５と、前記ロックペダル４の先端と支承部２の裏面との間に掛け渡されて枢着されたリンク片６とからなっている。
なお、この実施例では図中左側を前方とし、右側を後方として説明する。
【０００９】
［スタンド部］
スタンド部３は、ベース部３１と、その上に立設する支脚部３２と、該支脚部３２に支持された内筒部３３と該内筒部３３に外嵌し上下に摺動自在な外筒部３４とからなっており、外筒部３４の上にプレート状の支承部２が固設されている。
ベース部３１は、その上面に球座３５を有し、上方に設けたバネ受３６との間に圧縮バネ３７を内蔵しており、支脚部３２を旋回可能に支持する公知構成からなっている。
【００１０】
そして、内筒部３３と外筒部３４の間にはコイルスプリングなどの第１の付勢手段（図示せず）が内蔵されて外筒部３４が上向きに突出可能に付勢されており、内筒部３３を押し下げると前記第１の付勢手段を圧縮して付勢力を高めながら外筒部３４が内筒部３３に外嵌してスタンド部３は図２のように長くなる。
また、外筒部３４には下端縁部に半円形状の切欠部３４ａが形成されており、上昇時に内筒部３３に突設されたピンＰ１に嵌合して内筒部３３が所定ストロークの上昇を行えるようにしている。
【００１１】
［ロックペダル］
次ぎに、前記スタンド部３の中途位置には、中間部が第１ピンＰ１で枢着されてスタンド部３を超えて前後に延びるロックペダル４が取り付けられている。
ロックペダル４は、本実施例の場合、スタンド部３を挟んで左右一対に延びるレバー本体４１と、一対のレバー本体４１の後端間に掛け渡されて取り付けられるロックピンＰ３と、一対のレバー本体４１の前方間に掛け渡されて取り付けられるステップ部４２とからなっている。
【００１２】
ロックピンＰ３は、後述のように、ロックペダル４のステップ部４２を踏み込んでスタンド部３を伸張させた際に、スタンド部３の外筒部３４の外周壁と衝合して、ロックペダル４の逆回動をロックし、スタンド部３の伸張姿勢を維持するものである。
一方、前記スタンド部３には、水平に延びる第１ピンＰ１が内筒部３３の下部を貫通して固定されており、その両端は内筒部３３から外方へ突出している。
この第１ピンＰ１の突出部分に前記ロックペダル４の一対のレバー本体４１の中間部が枢着されている。
【００１３】
［ロック解放ペダル］
ロック解放ペダル５は、前記ロックペダル４の外側に並んで配置されている。
図示例の場合、ロック解放ペダル５は、スタンド部３の一側に配置された１本のレバー状の解放ペダル本体５１と、該解放ペダル本体５１の前方を折り曲げて前方へ延びるステップ片部５２とからなっている。
【００１４】
しかし、この発明では、ロックペダル４の外側を覆うように左右一対のレバー片と、該一対のレバー片間に掛け渡されたステップ部とからなるコ字状の部材としてもよい。
このロック解放ペダル５は、後端側が支承部２の裏面に突設されたブラケット２１に第２ピンＰ２により枢着されている。
【００１５】
［リンク片］
次ぎに、前記ロックピンＰ３と第２ピンＰ２とにリンク片６の両端が枢着されている。
リンク片６は、左右一対の側板６１と、該側板６１間の下方に一連に掛け渡される下方連設片６２とからなる断面が略コ字状に形成されており、左右の側板６１の上部が第２ピンＰ２に枢着され、下部がロックピンＰ３に枢着されている。
【００１６】
ここで第２ピンＰ２は、前記支承部２の裏面で垂下する左右一対のブラケット２１間に水平に掛け渡されて外方へ突出している。
そして、ブラケット２１の外側で、まずリンク片６の左右一対の上部が第２ピンＰ２に枢着され、前記ロック解放ペダル５の先端側が同軸上に枢着されており、第２ピンＰ２に対するリンク片６の枢着個所はロック解放ペダル５の枢着個所に対して内側に配置される。
【００１７】
［コイルスプリング］
前記ロック解放ペダル５には、第２ピンＰ２との枢着位置の上方にリンク部材６の一方の側板６１を超えて内方へ延びる杆状の掛止部５３が突設されている。
該掛止部５３に第２の付勢手段の一例を示すコイルスプリング５４の上端が掛止められており、また上記コイルスプリング５４の下端は前記ロックピンＰ３に掛け止められている。
また、ロック解放ペダル５には、前記掛止部５３の下方にピン状の作動部１３が内向きの突設されており、リンク片６に接するように配置されている。
この実施例では、作動部１３を別体に設けたが、掛止部５３の位置を下げて前記作動部と兼用させる構成にしてもよい。
【００１８】
そして上記コイルスプリング５４の付勢力によって、前記作動部１３はロックピンＰ３に接近する方向に付勢されるようになっている。
これにより、前記作動部１３は、外部から負荷がかからない場合には、リンク部材６の一方の側板６１の縁部に接している。
【００１９】
［ピンの位置関係］
ここで、第１ピンＰ１は内筒部３３に固定され、第２ピンＰ２は支承部２の下方で固定されているが、スタンド部３の伸縮によりその位置は変化する。
そして、前記スタンド部３に内蔵された第１の付勢手段により作用する付勢力は、上記第１ピンＰ１と第２ピンＰ２を結ぶ線Ｌに対して、前記ロックピンＰ３が変位して上記線Ｌ上にくると思案点となり、この線Ｌを越えることにより超えた方向に付勢力が働くようになっている。
【００２０】
従って、前述のように、ロックペダル４は、ロックピンＰ３が前記思案点を超えて外筒部３４に衝合する図２のロック位置になると、ロックペダル４は、ロック方向に付勢されるのでロック姿勢を維持することができる。
【００２１】
そこでロック解放ペダル５を踏み込むと、前記作動部１３がリンク片６の側板６１を押し下げ、リンク片６を第２ピンＰ２を支点として図中反時計方向に回転させる。
このリンク片６の回転によりロックピンＰ３が外筒部の衝合位置から離れ前記Ｐ１−Ｐ２間の線Ｌを超えて引き下げられる。
また、同時にロックペダル４はリンク片６の作動で第１ピンＰ１を支点にして、図中時計方向に回転してステップ部４２がロック解放レバー５より高位置に変位するロック解放位置となる（図１参照）。
【００２２】
また、このロック解放位置から、ロックペダル４のステップ部４２を踏み下ろすと、リンク片６が連動し、ロックピンＰ３が前記Ｐ１−Ｐ２間の線Ｌを超えると、図２に示すようにロックペダル４を図中反時計方向に付勢する。
そしてロックピンＰ３は外側筒部に衝合してロックペダル４の位置をロックすることができる。
【００２３】
本実施例では、ロックペダル４は、ロック解放位置にあるとき、ステップ部４２が支承部２に対して例えば指などが入る位の一定の間隔Ｓが空くように設定されている。
一方、ロック解放レバー５は、前記ロックピンＰ３にコイルスプリング５４を介して連動するが、ロックペダル４との間に指などが入った場合には、図３に示すように、ロック解放レバー５はコイルスプリング５４を伸ばしてロック解放ペダル５が支承部２の裏面に接する最上端位置に変位させることができ、前記間隔Ｓとほぼ同じ間隔Ｓ’（ステップ片部５２の厚みを引いた間隔）を常時開けることができるようになっている。
【００２４】
これにより、ロック解放ペダル５のステップ片部５２を踏み込み、これに連動してロックペダル４のステップ部４２が跳ね上がってくる際に、ロック解放ペダル５のステップ片部５２の下に指などが入り込んでも、ロック解放ペダル５を前記コイルスプリング５４の付勢力に抗して第２ピンＰ２を支点にして上方向（図中、時計方向）に回転させるので、指などは前記間隔Ｓ’の間に入り、ロック解放ペダル５とロックペダル４の間で挟まれることがない。
【００２５】
また、前記指などを外せば、ロック解放ペダル５は、図３の位置から、前記コイルスプリング５４の付勢力によって第２ピンＰ２を支点にして反時計方向に回転し、図１に示すロックペダル４のステップ部を上位とするロック解放位置に変位させることができる。
上記実施例では、スタンド部の伸縮構造を、支脚部上に固定された内筒部と、内筒部に対して伸縮可能な外筒部の構造としたが、支脚部と内筒部とを一体に形成するものであってもよい。
【００２６】
また第１ピンの取付位置は、スタンド部の固定された位置であればよく、支脚部であってもよい。
その他、要するにこの発明の要旨を変更しない範囲で用途に応じて種々設計変更しうること勿論である。
【図面の簡単な説明】
【００２７】
【図１】フロアーロックの実施例のロック解除状態を示す側面図である。
【図２】同ロック状態を示す側面図である。
【図３】ロック解除時にロック解除ペダルの下に指などが入った際にロック解除レバーが逃げる状態を説明する側面図である。
【図４】図１の背面図である。
【符号の説明】
【００２８】
１    フロアーロック
２    支承部
３    スタンド部
４    ロックペダル
５    ロック解除ペダル
６    リンク片
１３    作動部
２１    ブラケット
３１    ベース部
３２    支脚部
３３    内筒部
３４    外筒部
３５    球座
３６    バネ受
３７    圧縮バネ  
４１    レバー本体
４２    ステップ部
５１    解放ペダル本体
５２    ステップ片部
５３    掛止部
５４    コイルスプリング
６１    側板
６２    連設片
【図１】
2006240504.tif 000003
【図２】
2006240504.tif 000004
【図３】
2006240504.tif 000005
【図４】
2006240504.tif 000006